Podtech/llm-jp-corpus-v4-ja_patent huggingface dataset:
【手続補正書】
【提出日】平成30年5月1日(2018.5.1)
【手続補正１】
【補正対象書類名】明細書
【補正対象項目名】００１４
【補正方法】変更
【補正の内容】
【００１４】
野縁取付金具５１は、一方の側に、野縁５の逆Ｕ字状溝内に挿入して野縁５を支持受けすよう形成された野縁支持受け部と、他方の側に、野縁５の開口側から被嵌係合して固定されるよう形成された野縁被嵌部とを、野縁受け４の上面側で折曲可能に一体化されて構成される。この野縁取付金具５１は、本願出願人が開示した特登５４８９１０９号公報に掲載されたものの例示であり、詳細説明を省略する。
振れ止め固定金具７１は、中央の吊りボルト２への吊りボルト固定部と、その両側に振れ止め７への被嵌固定部を有して側面視略コ字状に形成されている。
振れ止め７は、側方が開口する断面コ字状のチャンネル材からなり、吊りボルト２の間隔を維持するために複数の吊りボルト２間に水平状に架設される梁タイプとなっている。そして、振れ止め固定金具７１を、吊りボルト２と振れ止め７とを同時に被嵌することで両者が組付け固定される。
【手続補正２】
【補正対象書類名】明細書
【補正対象項目名】００１８
【補正方法】変更
【補正の内容】
【００１８】
リベット３ａを中心とした内外円周上において、ビス孔Ｓ１ａ〜Ｓ１ｏのうち、連結片３１２の外周側面域に９個のビス孔Ｓ１ａ〜Ｓ１ｉが割り振り配設され、その内周側面域に６個のビス孔Ｓ１ｊ〜Ｓ１ｏが割り振り配設されている。また、ビス孔Ｓ２ａ〜Ｓ２ｈのうち、連結片３２２の外周側面域に４個のビス孔Ｓ２ａ〜Ｓ２ｄが割り振り配設され、その内周側面域に４個のビス孔Ｓ２ｅ〜Ｓ２ｈが割り振り配設されている。そして、これらビス孔Ｓ１ａ〜Ｓ１ｏとビス孔Ｓ２ａ〜Ｓ２ｈとは、４５度の角度範囲内において、５度毎のピッチ角をもって、何れか１のビス孔Ｓ１、Ｓ２同士を任意の角度位置で選択的に位置合わせさせて重合するように配置設定され、謂わば多段階的な角度位置調整ができるようになっている。なお、ビス孔Ｓ１、Ｓ２の穿設位置や角度設定、配設個数やその比率は任意であり、ビス孔Ｓ１、Ｓ２に換えて連結片３１２、３２２の外周端縁にビス溝を形成するようにしても良い。
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
航空機（１２）と、
前記航空機（１２）上の電子機器（１４）と
を備える航空機システム（１０）であって、
前記電子機器（１４）が、
複数の通信チャネル（４４）を介して無線通信を提供する無線接続インターフェース（４０）を備え、
前記電子機器（１４）は更に、
前記複数の通信チャネル（４４）のうちどれが利用可能な通信チャネルかを表示する視覚表示（４８）を備えるディスプレイ（４２）を備え、
前記利用可能な通信チャネルは、データを送信および／または受信することが可能で、
前記視覚表示は、さらに前記利用可能な通信チャネルのうちどれが使用中の通信チャネルかを表示し、
前記使用中の通信チャネルは、利用可能でかつデータの送信および／または受信に使用されており、
前記航空機システム（１０）は、前記利用可能な通信チャネルの１つまたはいくつかだけが使用中となるように構成されている、航空機システム。
【請求項２】
前記航空機（１２）は操縦室（１６）を備え、かつ、前記電子機器（１４）は前記操縦室（１６）にある、請求項１に記載の航空機システム。
【請求項３】
前記電子機器（１４）は、電子フライトバッグ（１５）である、請求項１に記載の航空機システム。
【請求項４】
前記電子機器（１４）はフライトディスプレイである、請求項１に記載の航空機システム。
【請求項５】
前記電子機器は、プロセッサ（３２）とデータ記憶装置（３４）とを更に備え、前記プロセッサ（３２）は、前記ディスプレイ（４２）、前記無線接続インターフェース（４０）、及び前記データ記憶装置（３４）と通信する、請求項１に記載の航空機システム。
【請求項６】
前記電子機器（１４）は、入力デバイス（３６）を更に備える、請求項１に記載の航空機システム。
【請求項７】
前記視覚表示（４８）は、前記ディスプレイ（４２）に表示される画像およびテキストのうち少なくとも１つを含む、請求項１に記載の航空機システム。
【請求項８】
前記視覚表示（４８）は、前記ディスプレイ（４２）に表示される少なくとも１つのアイコンを含む、請求項１に記載の航空機システム。
【請求項９】
前記複数の通信チャネル（４４）は、衛星通信チャネル（４４ａ）、無線ローカルエリアネットワーク（４４ｂ）、及び移動体通信ネットワーク（４４ｃ）のうちの少なくとも１つを含む、請求項１に記載の航空機システム。
【請求項１０】
航空機（１２）上で利用可能な通信チャネルを表示するための方法であって、
ディスプレイ（４２）を備える電子機器（１４）であって、複数の通信チャネル（４４）を介しての無線接続を有する電子機器（１４）を提供するステップと、
前記複数の通信チャネル（４４）のうちどれが、データの送信および／または受信ができる利用可能な通信チャネルかを特定するステップと、
前記複数の通信チャネル（４４）のうちどれが、利用可能でかつデータの送信および／または受信に使用されている使用中の通信チャネルかを特定するステップと、
前記利用可能な通信チャネル、及び、前記使用中の通信チャネルを、前記ディスプレイ（４２）上に視覚的に表示するステップと、
前記利用可能な通信チャネルの１つまたはいくつかだけを使用中とするステップと
を含む、方法。
【請求項１１】
航空機（１２）上で利用可能な通信チャネルを表示するためのコンピュータ実行可能指令が埋め込まれた、コンピュータ可読記憶媒体であって、前記コンピュータ実行可能指令は、少なくとも１つのプロセッサ（３２）と、ディスプレイ（４２）と、複数の通信チャネル（４４）を介しての無線接続とを有する電子機器（１４）によって実行される時に、前記電子機器（１４）に、
前記複数の通信チャネル（４４）のうちどれが、データの送信および／または受信ができる利用可能な通信チャネルかを特定させ、
前記複数の通信チャネル（４４）のうちどれが、利用可能でかつデータの送信および／または受信に使用されている使用中の通信チャネルかを特定させ、
前記利用可能な通信チャネル、及び、前記使用中の通信チャネルを、前記ディスプレイ（４２）上に視覚的に表示させ、
前記利用可能な通信チャネルの１つまたはいくつかだけを使用中とさせる、コンピュータ可読記憶媒体。
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
物品を載置するための底板部（１１）と、該底板部（１１）から立ち上げ形成された側壁部（１２ａ）と、からなるトレイ（１）であって、
前記底板部（１１）の裏面に、該底板部（１１）を起立させるための脚部材（２０）を回動可能に設けると共に、該脚部材（２０）に情報を表示するための表示部（４０）を設けたことを特徴とするトレイ。
【請求項２】
前記脚部材（２０）は、前記底板部（１１）の裏面の一側縁を軸として枢止された板部材であり、枢止側の側縁を延長して設けられた延長部（２１）が、前記側壁部（１２ａ）に係止されるように構成したことを特徴とする請求項１に記載のトレイ。
【請求項３】
前記底板部（１１）に開口部（１６）を設け、該開口部（１６）を覆うように前記脚部材（２０）を取り付けたことを特徴とする請求項１又は請求項２に記載のトレイ。
【手続補正２】
【補正対象書類名】明細書
【補正対象項目名】０００４
【補正方法】変更
【補正の内容】
【０００４】
上記課題を解決するために、物品を載置するための底板部と、該底板部から立ち上げ形成された側壁部と、からなるトレイであって、前記底板部の裏面に、該底板部を起立させるための脚部材を回動可能に設けると共に、該脚部材に情報を表示するための表示部を設けたことを特徴とするものである。
この場合、前記脚部材は、前記底板部の裏面の一側縁を軸として枢止された板部材であり、枢止側の側縁を延長して設けられた延長部が、前記側壁部に係止されるように構成してもよい。
【手続補正３】
【補正対象書類名】明細書
【補正対象項目名】０００５
【補正方法】変更
【補正の内容】
【０００５】
また、前記底板部に開口部を設け、該開口部を覆うように前記脚部材を取り付けてもよい。
【手続補正４】
【補正対象書類名】明細書
【補正対象項目名】０００７
【補正方法】変更
【補正の内容】
【０００７】
請求項２のトレイは、底板部の裏面の一側縁を軸として脚部材を枢止させ、その枢止側の側縁を延長させた部位を、底板部から立ち上げられた側壁部に係止させるようにしたので、トレイの起立状態を維持させるための機構を、簡単な構成で実現することができる。
【手続補正５】
【補正対象書類名】明細書
【補正対象項目名】０００８
【補正方法】変更
【補正の内容】
【０００８】
請求項３のトレイは、底板部に開口部を設け、その開口部を覆うように脚部材を取り付けたので、トレイとして使用される際には、脚部材の一方の面をもって底板部を形成することができる。これによって、材料を低減させることができる。
【手続補正書】
【提出日】平成30年4月2日(2018.4.2)
【手続補正１】
【補正対象書類名】明細書
【補正対象項目名】発明の名称
【補正方法】変更
【補正の内容】
【発明の名称】画像形成装置、該装置の制御方法、プログラム、画像形成システム、及び搬送先切替装置
【手続補正２】
【補正対象書類名】明細書
【補正対象項目名】０００１
【補正方法】変更
【補正の内容】
【０００１】
本発明は、画像形成装置、該装置の制御方法、プログラム、画像形成システム、及び搬送先切替装置に関する。
【手続補正３】
【補正対象書類名】明細書
【補正対象項目名】０００６
【補正方法】変更
【補正の内容】
【０００６】
本発明の目的は、ユーザがテスト印刷の結果を迅速に確認することができる画像形成装置、該装置の制御方法、プログラム、画像形成システム、及び搬送先切替装置を提供することにある。
【手続補正４】
【補正対象書類名】明細書
【補正対象項目名】０００７
【補正方法】変更
【補正の内容】
【０００７】
上記目的を達成するために、本発明の画像形成装置は、印刷済の記録媒体に後処理を施す後処理装置に接続される画像形成装置において、印刷対象に対してテスト印刷を実行するテスト印刷実行手段と、記録媒体が前記後処理装置へ搬送されるべき前記印刷対象に対して前記テスト印刷が実行されるとき、前記印刷済の記録媒体を前記後処理装置に搬送しないように制御する制御手段と、を備えることを特徴とする。
【手続補正５】
【補正対象書類名】明細書
【補正対象項目名】０００８
【補正方法】変更
【補正の内容】
【０００８】
上記目的を達成するために、本発明の搬送先切替装置は、記録媒体に印刷を行う画像形成装置及び印刷済の記録媒体に後処理を施す後処理装置の間に配置され、前記印刷済みの記録媒体の搬送先を切り替える搬送先切替装置であって、前記画像形成装置から搬送された記録媒体を収容するエスケープトレイと、前記画像形成装置から搬送された記録媒体を前記エスケープトレイへ搬送するための第１搬送路と、前記画像形成装置から搬送された記録媒体を前記後処理装置へ搬送するための第２搬送路と、を備え、前記画像形成装置から搬送された印刷済の記録媒体が印刷対象のテスト印刷の印刷結果物である場合に前記印刷済の記録媒体を前記第１搬送路へ搬送し、前記印刷済の記録媒体が前記テスト印刷の印刷結果物でない場合に前記印刷済の記録媒体を前記第２搬送路へ搬送するよう搬送先を切り替えることを特徴とする。
【手続補正６】
【補正対象書類名】特許請求の範囲
【補正対象項目名】全文
【補正方法】変更
【補正の内容】
【特許請求の範囲】
【請求項１】
印刷済の記録媒体に後処理を施す後処理装置に接続される画像形成装置において、
印刷対象に対してテスト印刷を実行するテスト印刷実行手段と、
記録媒体が前記後処理装置へ搬送されるべき前記印刷対象に対して前記テスト印刷が実行されるとき、前記印刷済の記録媒体を前記後処理装置に搬送しないように制御する制御手段と、
を備えることを特徴とする画像形成装置。
【請求項２】
前記制御手段は、前記テスト印刷において前記印刷対象のすべてのページより少ないページがテスト印刷される場合は、テスト印刷された記録媒体を前記後処理装置に搬送しないように制御し、前記テスト印刷において前記印刷対象のすべてのページがテスト印刷される場合は、テスト印刷された記録媒体を前記後処理装置に搬送するように制御することを特徴とする請求項１記載の画像形成装置。
【請求項３】
前記記録媒体の搬送方向において前記後処理装置よりも上流側に配置されたエスケープトレイをさらに備え、
前記制御手段は、前記印刷対象のすべてのページより少ないページがテスト印刷される場合、前記テスト印刷された記録媒体を前記エスケープトレイへ搬送するように制御することを特徴とする請求項１又は２記載の画像形成装置。
【請求項４】
印刷済の記録媒体に後処理を施す後処理装置に接続される画像形成装置の制御方法であって、
記録媒体が前記後処理装置へ搬送されるべき印刷対象に対してテスト印刷が実行されるとき、前記印刷済の記録媒体を前記後処理装置に搬送しないように制御することを特徴とする画像形成装置の制御方法。
【請求項５】
前記テスト印刷において前記印刷対象のすべてのページより少ないページがテスト印刷される場合は、テスト印刷された記録媒体を前記後処理装置に搬送しないように制御し、前記テスト印刷において前記印刷対象のすべてのページがテスト印刷される場合は、テスト印刷された記録媒体を前記後処理装置に搬送するように制御することを特徴とする請求項４記載の画像形成装置の制御方法。
【請求項６】
印刷済の記録媒体に後処理を施す後処理装置に接続され、前記後処理装置とは独立して制御される画像形成装置の制御方法をコンピュータに実行させるプログラムであって、
請求項４または５に記載の制御方法をコンピュータに実行させることを特徴とするプログラム。
【請求項７】
記録媒体に印刷を行う画像形成装置と、
前記画像形成装置により印刷された記録媒体に後処理を施す後処理装置と、を有する画像形成システムにおいて、
印刷対象に対してテスト印刷を実行するテスト印刷実行手段と、
記録媒体が前記後処理装置へ搬送されるべき前記印刷対象に対して前記テスト印刷が実行されるとき、印刷済の記録媒体を前記後処理装置に搬送しないように制御する制御手段と、
を備えることを特徴とする画像形成システム。
【請求項８】
記録媒体に印刷を行う画像形成装置及び印刷済の記録媒体に後処理を施す後処理装置の間に配置され、前記印刷済みの記録媒体の搬送先を切り替える搬送先切替装置であって、
前記画像形成装置から搬送された記録媒体を収容するエスケープトレイと、
前記画像形成装置から搬送された記録媒体を前記エスケープトレイへ搬送するための第１搬送路と、
前記画像形成装置から搬送された記録媒体を前記後処理装置へ搬送するための第２搬送路と、
を備え、
前記画像形成装置から搬送された印刷済の記録媒体が印刷対象のテスト印刷の印刷結果物である場合に前記印刷済の記録媒体を前記第１搬送路へ搬送し、前記印刷済の記録媒体が前記テスト印刷の印刷結果物でない場合に前記印刷済の記録媒体を前記第２搬送路へ搬送するよう搬送先を切り替えることを特徴とする搬送先切替装置。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
視認可能な複数のオブジェクト識別用のパターン部が付設された本体部と、
少なくとも一つの前記パターン部を被覆し、被覆位置と、被覆する前記パターン部を露出させる露出位置との間で移動可能に前記本体部に支持された可動部と、
前記本体部に対する操作に応じて前記可動部を前記被覆位置から前記露出位置に向けて移動させる駆動部と、
を備え、
前記複数のオブジェクト識別用のパターン部の少なくとも２つは、前記本体部の一面側に付設される玩具。
【請求項２】
請求項１記載の玩具であって、
前記可動部は、被覆する前記パターン部が付設された前記本体部の付設面に沿って、前記被覆位置から前記露出位置に向けて相反方向に移動される一対の可動体を有する玩具。
【請求項３】
請求項１または請求項２において、
前記複数のオブジェクト識別用のパターン部は、少なくとも第１のオブジェクト識別用のパターン部と第２のオブジェクト識別用のパターン部とを備え、
前記第１のオブジェクト識別用のパターン部は前記可動部によって被覆可能であり、前記第２のオブジェクト識別用のパターン部は常に外部から視認可能である玩具。
【請求項４】
請求項１から３のいずれか一項記載の玩具であって、
少なくとも前記本体部及び前記可動部は光透過性の材料で形成されている玩具。
【請求項５】
請求項１から４のいずれか一項記載の玩具であって、
前記パターン部の読取装置に設けられる装着部に係合し、該玩具を前記装着部に対して位置決めする位置決め部を有し、
前記位置決め部は、前記本体部に設けられている玩具。
【請求項６】
請求項１から５のいずれか一項記載の玩具であって、
前記被覆位置から前記露出位置に向けた前記可動部の移動方向における前記可動部の先端縁に、少なくとも一つの凸部が設けられている玩具。
【請求項７】
請求項１から６のいずれか一項記載の玩具に付設された前記パターン部を読み取り、読み取った前記玩具の前記パターン部の情報に基づいて情報処理を実行するゲーム機であって、
前記玩具が装着される装着部を備え、
前記装着部に装着された前記玩具の前記可動体は、前記被覆位置から前記露出位置に向けて移動可能であるゲーム機。
【請求項８】
請求項７記載のゲーム機であって、
前記装着部に装着された前記玩具の前記パターン部の少なくとも２つを読み取る読取部を備えるゲーム機。
【請求項９】
請求項７又は請求項８記載のゲーム機であって、
前記装着部は、前記被覆位置から前記露出位置に向けた前記玩具の前記可動部の移動方向における前記可動部の先端縁に当接する少なくとも一つの凸部を有するゲーム機。
【請求項１０】
請求項７から９のいずれか一項記載のゲーム機であって、
前記装着部に装着された前記玩具を、前記装着部を挟んで前記玩具とは反対側から照明する照明部をさらに備えるゲーム機。
【手続補正２】
【補正対象書類名】明細書
【補正対象項目名】０００９
【補正方法】変更
【補正の内容】
【０００９】
本発明に係る玩具は、視認可能な複数のオブジェクト識別用のパターン部が付設された本体部と、少なくとも一つの前記パターン部を被覆し、被覆する前記パターン部が付設された前記本体部の付設面に沿って、被覆位置と、被覆する前記パターン部を露出させる露出位置との間で移動可能に前記本体部に支持された可動部と、前記本体部に対する操作に応じて前記可動部を前記被覆位置から前記露出位置に向けて移動させる駆動部と、を備えることを特徴とする。また本発明に係る玩具は、視認可能な複数のオブジェクト識別用のパターン部が付設された本体部と、少なくとも一つの前記パターン部を被覆し、被覆位置と、被覆する前記パターン部を露出させる露出位置との間で移動可能に前記本体部に支持された可動部と、前記本体部に対する操作に応じて前記可動部を前記被覆位置から前記露出位置に向けて移動させる駆動部と、を備え、前記複数のオブジェクト識別用のパターン部の少なくとも２つは、前記本体部の一面側に付設される。
【手続補正３】
【補正対象書類名】明細書
【補正対象項目名】００１０
【補正方法】変更
【補正の内容】
【００１０】
本発明に係る玩具においては、前記可動部は、前記被覆位置から前記露出位置に向けて相反方向に移動される一対の可動体を有していてもよい。また、本発明に係る玩具において、前記複数のオブジェクト識別用のパターン部は、少なくとも第１のオブジェクト識別用のパターン部と第２のオブジェクト識別用のパターン部とを備え、前記第１のオブジェクト識別用のパターン部は前記可動部によって被覆可能であり、前記第２のオブジェクト識別用のパターン部は常に外部から視認可能であってもよい。

【手続補正４】
【補正対象書類名】明細書
【補正対象項目名】００１４
【補正方法】変更
【補正の内容】
【００１４】
本発明に係るゲーム機は、上記玩具に付設された前記パターン部を読み取り、読み取った前記玩具の前記パターン部の情報に基づいて情報処理を実行するゲーム機であって、前記玩具が装着される装着部を備え、前記装着部は、前記玩具の前記可動部を除く前記本体部に係合し、前記玩具を位置決めする位置決め部を有することを特徴とする。また、本発明に係るゲーム機は、上記玩具に付設された前記パターン部を読み取り、読み取った前記玩具の前記パターン部の情報に基づいて情報処理を実行するゲーム機であって、前記玩具が装着される装着部を備え、前記装着部に装着された前記玩具の前記可動体は、前記被覆位置から前記露出位置に向けて移動可能である。

【手続補正５】
【補正対象書類名】明細書
【補正対象項目名】００１５
【補正方法】変更
【補正の内容】
【００１５】
本発明に係るゲーム機においては、前記装着部に装着された前記玩具の前記パターン部の少なくとも２つを読み取る読取部を備えていてもよい。また、本発明に係るゲーム機においては、前記装着部は、前記被覆位置から前記露出位置に向けた前記玩具の前記可動部の移動方向における前記可動部の先端縁に当接する少なくとも一つの凸部を有していてもよい。
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
プレイヤーが第１ベースコンテンツと素材コンテンツを選択した際に、前記第１ベースコンテンツに対応付けられたパラメーターに前記素材コンテンツに対応付けられたパラメーターを加算することにより、前記第１ベースコンテンツのパラメーターがオーバーフローするか否かを判定する判定処理部と、
前記第１ベースコンテンツのパラメーターがオーバーフローしないと判定された場合に、前記第１ベースコンテンツに素材コンテンツを合成させることを前記プレイヤーに確認させるための第１合成確認画面のデータを生成し、
前記第１ベースコンテンツのパラメーターがオーバーフローすると判定された場合に、そのオーバーフローによる余剰分のパラメーターを加算可能な第２ベースコンテンツの選択候補を表示した選択画面のデータを生成した後、前記第１ベースコンテンツに素材コンテンツを合成させることを前記プレイヤーに確認させると共に、前記プレイヤーが前記選択候補の中から選択した第２ベースコンテンツにその余剰分のパラメーターが加算されることを前記プレイヤーに確認させる第２合成確認画面のデータを生成する画面データ生成処理部と、
を備えたことを特徴とする情報処理装置。
【請求項２】
請求項１に記載の情報処理装置であって、
前記判定処理部は、前記第１ベースコンテンツに設定されたレベルが最大値であるか否かを判定し、
前記画面データ生成処理部は、前記第１ベースコンテンツに設定されたレベルが最大値であると判定された場合に、未だレベルが最大値に達していない第２ベースコンテンツの選択候補を表示した選択画面のデータを生成する、
ことを特徴とする情報処理装置。
【請求項３】
請求項１に記載の情報処理装置であって、
前記判定処理部は、前記第１ベースコンテンツに設定されたレベルが最大値であるか否かを判定し、
前記画面データ生成処理部は、前記第１ベースコンテンツに設定されたレベルが最大値であると判定された場合に、前記第１ベースコンテンツのレベル以外の能力パラメーターを上昇させることのできる素材コンテンツの選択候補を表示した選択画面のデータを生成する、
ことを特徴とする情報処理装置。
【請求項４】
コンピューターに、
プレイヤーが第１ベースコンテンツと素材コンテンツを選択した際に、前記第１ベースコンテンツに対応付けられたパラメーターに前記素材コンテンツに対応付けられたパラメーターを加算することにより、前記第１ベースコンテンツのパラメーターがオーバーフローするか否かを判定する判定処理と、
前記第１ベースコンテンツのパラメーターがオーバーフローしないと判定された場合に、前記第１ベースコンテンツに素材コンテンツを合成させることを前記プレイヤーに確認させるための第１合成確認画面のデータを生成し、
前記第１ベースコンテンツのパラメーターがオーバーフローすると判定された場合に、そのオーバーフローによる余剰分のパラメーターを加算可能な第２ベースコンテンツの選択候補を表示した選択画面のデータを生成した後、前記第１ベースコンテンツに素材コンテンツを合成させることを前記プレイヤーに確認させると共に、前記プレイヤーが前記選択候補の中から選択した第２ベースコンテンツにその余剰分のパラメーターが加算されることを前記プレイヤーに確認させる第２合成確認画面のデータを生成する画面データ生成処理と、
を実行させることを特徴とするゲームプログラム。
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
一端に閉部を有し他端に開口部を有する筒状の採血管挿入部と、前記閉部に装着された注射針とを備える採血管外筒に接続される筒状のアダプタであって、
前記アダプタの筒状の壁部の内側に形成された空間を介して前記採血管挿入部に挿入される採血管に備えられたＩＣタグに対して情報の送受信を行うためのアンテナを前記筒状の壁部に備えることを特徴とするアダプタ。
【請求項２】
前記筒状の壁部の内壁に前記採血管外筒の外壁に形成された被係合部と係合する係合部を有することを特徴とする請求項１記載のアダプタ。
【請求項３】
前記筒状の壁部の内壁に前記採血管外筒の前記開口部の周囲または前記開口部近傍に形成されたフランジと係合する係合部を有することを特徴とする請求項１記載のアダプタ。
【請求項４】
前記アンテナが前記筒状の壁部に埋め込まれていることを特徴とする請求項１〜請求項３の何れか一項に記載のアダプタ。
【請求項５】
一端が閉じ他端に開口部を有する筒状の収容部と、前記収容部を減圧した状態で前記開口部を閉じる蓋部と、ＩＣタグとを備える採血管と、
一端に閉部を有し他端に開口部を有する筒状の採血管挿入部と、前記閉部に装着された注射針とを備える採血管外筒と、
前記ＩＣタグに対して情報の送受信を行うためのアンテナを筒状の壁部に有し、前記採血管外筒に接続されるアダプタと、
前記アダプタが接続された前記採血管外筒の前記採血管挿入部に前記アダプタの前記筒状の壁部の内側に形成された空間を介して前記採血管が挿入された際に、前記アダプタの前記筒状の壁部に備えられた前記アンテナから前記採血管に備えられた前記ＩＣタグに対して情報を送信し、前記ＩＣタグに書き込むＩＣタグライタを備え、
前記注射針の前記採血管挿入部側の端部を前記採血管の蓋部に貫通させることにより血液を採取することを特徴とする採血システム。
【請求項６】
前記アダプタは、前記筒状の壁部の内壁に前記採血管外筒の外壁に形成された被係合部と係合する係合部を有することを特徴とする請求項５記載の採血システム。
【請求項７】
前記アダプタは、前記筒状の壁部の内壁に前記採血管外筒の前記開口部の周囲または前記開口部近傍に形成されたフランジと係合する係合部を有することを特徴とする請求項５記載の採血システム。
【請求項８】
バーコードに記録されている情報を読み取るバーコードリーダを備え、
前記アダプタが接続された前記採血管外筒の採血管挿入部に前記アダプタの筒状の壁部の内側に形成された空間を介して前記採血管が挿入された際に、前記バーコードリーダにより読み取られた情報を、前記アダプタの前記筒状の壁部に備えられた前記アンテナを介して前記採血管に備えられた前記ＩＣタグに書き込むことを特徴とする請求項５〜請求項７の何れか一項に記載の採血システム。
【請求項９】
血液を採取した各機関において用いられている識別情報を、前記血液の検査を依頼された検査機関において用いられる検査機関用識別情報に変換するための変換パターンを記憶する変換パターンテーブルと、
前記変換パターンテーブルを参照して、前記バーコードリーダにより読み取られた前記識別情報を前記検査機関用識別情報に変換する識別情報変換手段と
を更に備え、
前記ＩＣタグライタは、前記識別情報変換手段により変換された前記検査機関用識別情報を前記アダプタの前記筒状の壁部に備えられた前記アンテナを介して前記採血管に備えられたＩＣタグに書き込むことを特徴とする請求項８記載の採血システム。
【請求項１０】
前記ＩＣタグは、前記収容部に収容される血液の性状に影響を与えることがない素材によりコーティングされていることを特徴とする請求項５〜請求項９の何れか一項に記載の採血システム。
【請求項１１】
前記素材は、前記収容部を形成する素材と同一の素材であることを特徴とする請求項１０記載の採血システム。
【請求項１２】
前記アンテナは、前記アダプタの前記筒状の壁部に埋め込まれていることを特徴とする請求項５〜請求項１１の何れか一項に記載の採血システム。
【手続補正２】
【補正対象書類名】明細書
【補正対象項目名】００１４
【補正方法】変更
【補正の内容】
【００１４】
また、請求項５記載の採血システムは、 一端が閉じ他端に開口部を有する筒状の収容部と、前記収容部を減圧した状態で前記開口部を閉じる蓋部と、ＩＣタグとを備える採血管と、一端に閉部を有し他端に開口部を有する筒状の採血管挿入部と、前記閉部に装着された注射針とを備える採血管外筒と、 前記ＩＣタグに対して情報の送受信を行うためのアンテナを筒状の壁部に有し、前記採血管外筒に接続されるアダプタと前記アダプタが接続された前記採血管外筒の前記採血管挿入部に前記アダプタの前記筒状の壁部の内側に形成された空間を介して前記採血管が挿入された際に、前記アダプタの前記筒状の壁部に備えられた前記アンテナから前記採血管に備えられた前記ＩＣタグに対して情報を送信し、前記ＩＣタグに書き込むＩＣタグライタを備え、前記注射針の前記採血管挿入部側の端部を前記採血管の蓋部に貫通させることにより血液を採取することを特徴とする。
【手続補正３】
【補正対象書類名】明細書
【補正対象項目名】００１７
【補正方法】変更
【補正の内容】
【００１７】
また、請求項８記載の採血システムは、バーコードに記録されている情報を読み取るバーコードリーダを備え、 前記アダプタが接続された前記採血管外筒の採血管挿入部に前記アダプタの筒状の壁部の内側に形成された空間を介して前記採血管が挿入された際に、前記バーコードリーダにより読み取られた情報を、前記アダプタの前記筒状の壁部に備えられた前記アンテナを介して前記採血管に備えられた前記ＩＣタグに書き込むことを特徴とする。
【手続補正４】
【補正対象書類名】明細書
【補正対象項目名】００１８
【補正方法】変更
【補正の内容】
【００１８】
また、請求項９記載の採血システムは、血液を採取した各機関において用いられている識別情報を、前記血液の検査を依頼された検査機関において用いられる検査機関用識別情報に変換するための変換パターンを記憶する変換パターンテーブルと、  前記変換パターンテーブルを参照して、前記バーコードリーダにより読み取られた前記識別情報を前記検査機関用識別情報に変換する識別情報変換手段とを更に備え、 前記ＩＣタグライタは、前記識別情報変換手段により変換された前記検査機関用識別情報を前記アダプタの前記筒状の壁部に備えられた前記アンテナを介して前記採血管に備えられたＩＣタグに書き込むことを特徴とする。
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
軌道に沿って並べられ、前記軌道上の物体を検知する複数の第一の検知手段と、
前記軌道上を走行する列車の位置情報および運行方向情報を取得する運行情報統合手段と、
前記第一の検知手段の位置情報および検知結果と、前記運行情報統合手段から取得する前記列車の位置情報および運行方向情報を基に、前記第一の検知手段で検知された物体が障害物であるか否かを判定する障害物判定手段と、
前記障害物判定手段の判定結果に基づいて、前記列車に停止指令を出力する停止指令出力手段と、
を備える障害物検知システム。
【請求項２】
請求項１記載の障害物検知システムであって、
前記障害物判定手段は、
前記物体と前記軌道上を走行する列車との距離が、所定の余裕距離よりも大きいか否か、あるいは、前記物体が検出された前記軌道上の区間が、前記列車の走行する区間に含まれるか否かに基づいて、前記物体が前記障害物であるか否かを判定する障害物検知システム。
【請求項３】
請求項１記載の障害物検知システムであって、
前記運行情報統合手段は、前記軌道上を走行する列車の速度情報を取得し、
前記障害物判定手段は、
前記運行情報統合手段を介して取得する前記列車の前記位置情報、前記運行方向情報、前記速度情報と、前記物体の位置情報とから前記列車が前記物体の位置に到達するまでにかかる想定到達時間を算出し、
前記想定到達時間が所定の余裕時間よりも大きいか否かに基づいて、前記物体が前記障害物か否かを判定する障害物検知システム。
【請求項４】
請求項２または請求項３記載の障害物検知システムであって、
前記物体と前記軌道を走行する列車との距離が前記所定の余裕距離よりも大きい場合、あるいは、前記物体が検出された前記軌道上の区間が前記列車の走行する区間外である場合、あるいは、前記想定到達時間が前記所定の余裕時間よりも大きい場合、前記第一の検知手段の検知結果を蓄積する記録領域を備え、
前記障害物判定手段は、前記記録領域に蓄積される前記第一の検知手段による検知結果の履歴に基づいて、前記障害物であるか否かを判定する障害物検知システム。
【請求項５】
請求項４記載の障害物検知システムであって、
前記障害物判定手段は、前記第一の検知手段からの検知結果を所定の間隔で受信し、
前記物体と前記軌道を走行する列車との距離が前記所定の余裕距離以下となった場合、あるいは、前記物体が検出された前記軌道上の区間が前記列車の走行する区間と一致した場合、あるいは、前記想定到達時間が前記所定の余裕時間以下となった場合、前記履歴に基づいて、前記障害物であるか否かを判定し、
前記障害物であると判定した場合、前記障害物の位置情報を前記停止指令出力手段へ伝達する障害物検知システム。
【請求項６】
請求項５記載の障害物検知システムであって、
前記障害物判定手段は、前記記録領域に蓄積された、前記物体が検知された割合が所定割合以上である場合、前記物体は前記障害物であると判定する障害物検知システム。
【請求項７】
請求項４記載の障害物検知システムであって、
前記複数の第一の検知手段は、前記軌道上の物体の形状または位置を検知し、
前記障害物判定手段は、前記履歴に蓄積された前記物体の形状または位置の時間変化に基づいて、前記障害物であるか否かを判定する障害物検知システム。
【請求項８】
請求項２または請求項３記載の障害物検知システムであって、さらに
前記軌道上の物体を検知する第二の検知手段を備え、
前記障害物判定手段は、前記物体と前記軌道を走行する列車との距離が前記所定の余裕距離よりも大きい場合、あるいは、前記物体が検出された前記軌道上の区間が前記列車の走行する区間外である場合、あるいは、前記想定到達時間が前記所定の余裕時間よりも大きい場合、前記第二の検知手段による検知結果を取得し、
前記第一の検知手段による検知結果と前記第二の検知手段による検知結果とに基づいて、前記障害物であるか否かを判定する障害物検知システム。
【請求項９】
請求項８記載の障害物検知システムであって、
前記障害物判定手段は、前記第一の検知手段による前記物体の検知結果と前記第二の検知手段による前記物体の検知結果との整合性がある場合、前記物体は前記障害物であると判定し、前記障害物の位置情報を前記停止指令出力手段へ伝達する障害物検知システム。
【請求項１０】
請求項８または請求項９記載の障害物検知システムであって、
前記第二の検知手段は、前記軌道に沿って並べられている障害物検知システム。
【請求項１１】
請求項８または請求項９記載の障害物検知システムであって、
前記第二の検知手段は、前記第一の検知手段で検知された前記物体の位置情報に基づいて移動して検知する障害物検知システム。
【請求項１２】
請求項１から請求項１１のいずれか１項に記載の障害物検知システムであって、
前記軌道上の列車に乗車している乗務員に対し、前記停止指令の内容に基づく列車操作を、
画面表示と音声案内の少なくともいずれかによって案内する停止指令内容乗務員案内手段を備える障害物検知システム。
【請求項１３】
請求項１から請求項１１のいずれか１項に記載の障害物検知システムであって、
前記軌道上の各列車に乗車している乗客に対し、前記停止指令の内容に基づく列車運行情報を、
画面表示と音声案内の少なくともいずれかによって案内する停止指令内容乗客案内手段を備える障害物検知システム。
【請求項１４】
請求項１から請求項１１のいずれか１項に記載の障害物検知システムであって、
前記軌道上の列車の運行を監視可能な地上側の監視装置に対し、
前記軌道上の列車に対する前記停止指令の内容を、
画面表示と音声案内の少なくともいずれかによって案内する停止指令内容地上案内手段を備える障害物検知システム。
【請求項１５】
請求項１から請求項１１のいずれか１項に記載の障害物検知システムであって、
前記軌道上の列車が発着する駅の案内設備に対し、前記軌道上の列車に対する前記停止指令の内容を、
画面表示と音声案内の少なくともいずれかによって案内する停止指令内容駅案内手段を備える障害物検知システム。
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
作動ガスにより内部が加圧されることで、内部に溜められる推進薬を、エンジンへ向けて排出可能な宇宙航行体用の推進薬タンクであって、
液相状態の前記推進薬を、内部に溜めるタンク本体と、
前記タンク本体の内部に設けられ、前記タンク本体の内壁と所定の隙間を空けて配置されると共に、前記タンク本体の内部が微小重力状態または無重力状態において、液相状態の前記推進薬を内部に保持可能な保持収容部と、
前記保持収容部の内部において、前記推進薬の排出側に設けられ、液相状態の前記推進薬を内部に保持可能なリザーバ収容部と、を備え、
前記保持収容部及び前記リザーバ収容部は、メッシュを有する網材を用いて構成されることを特徴とする宇宙航行体用の推進薬タンク。
【請求項２】
前記保持収容部は、前記作動ガスによる加圧時において、液相状態の前記推進薬を通過させることを特徴とする請求項１に記載の宇宙航行体用の推進薬タンク。
【請求項３】
前記保持収容部は、液相状態の前記推進薬の表面張力が作用可能な材料を用いて構成されることを特徴とする請求項１または２に記載の宇宙航行体用の推進薬タンク。
【請求項４】
前記網材は、金網であることを特徴とする請求項１から３のいずれか１項に記載の宇宙航行体用の推進薬タンク。
【請求項５】
前記網材は、ポリテトラフルオロエチレンを用いて構成されるネットであることを特徴とする請求項１から３のいずれか１項に記載の宇宙航行体用の推進薬タンク。
【請求項６】
前記タンク本体の内壁と前記保持収容部とを連結する連結部材を、さらに備え、
前記連結部材は、低伝熱材料を用いて構成されることを特徴とする請求項１から５のいずれか１項に記載の宇宙航行体用の推進薬タンク。
【請求項７】
前記リザーバ収容部には、前記リザーバ収容部の内部で気相となった前記推進薬を排出するためのリリーフ弁が設けられていることを特徴とする請求項１から６のいずれか１項に記載の宇宙航行体用の推進薬タンク。
【請求項８】
液相状態の推進薬を、内部に溜めるタンク本体と、前記タンク本体の内部に設けられ、前記タンク本体の内壁と所定の隙間を空けて配置されると共に、前記タンク本体の内部が微小重力状態または無重力状態において、液相状態の前記推進薬を内部に保持可能な保持収容部と、前記保持収容部の内部において、前記推進薬の排出側に設けられ、液相状態の前記推進薬を内部に保持可能なリザーバ収容部と、を有する推進薬タンクと、
前記推進薬を排出すべく、前記推進薬タンクの内部を加圧する作動ガスを供給する気蓄器と、を備え、
前記保持収容部及び前記リザーバ収容部は、メッシュを有する網材を用いて構成されることを特徴とする宇宙航行体。
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
眼鏡レンズ加工装置による眼鏡レンズの周縁加工に使用される玉型形状を決定する玉型形状決定装置であって、
眼鏡装用状態を基準にした眼鏡フレームの左リム及び右リムの少なくとも一方の三次元形状データを取得するリム形状取得手段と、
眼鏡装用状態を基準にした前記三次元形状データに対して、加工用の玉型形状を得るために設定された玉型基準軸に垂直な平面に前記三次元形状データと眼鏡装用状態の水平軸とを投影し、前記平面に投影された水平軸をレンズの乱視軸の基準方向として決定し、前記三次元形状データが前記平面に投影されることによって得られた二次元形状を加工用の玉型形状として決定する玉型形状決定手段と、
を備えることを特徴とする玉型形状決定装置。
【請求項２】
請求項１の玉型形状決定装置において、
前記玉型基準軸は、眼鏡レンズ加工装置が有するレンズ保持軸であって、眼鏡レンズを保持させるときのレンズ保持軸の軸線方向に設定されていることを特徴とする玉型形状決定装置。
【請求項３】
眼鏡レンズ加工装置による眼鏡レンズの周縁加工に使用される玉型形状を決定する玉型形状決定方法であって、
眼鏡装用状態を基準にした眼鏡フレームの左リム及び右リムの少なくとも一方の三次元形状データを取得するリム形状取得ステップと、
眼鏡装用状態を基準にした前記三次元形状データに対して、加工用の玉型形状を得るために設定された玉型基準軸に垂直な平面に前記三次元形状データと眼鏡装用状態の水平軸とを投影し、前記平面に投影された水平軸をレンズの乱視軸の基準方向として決定し、前記三次元形状データが前記平面に投影されることによって得られた二次元形状を加工用の玉型形状として決定する玉型形状決定ステップと、
を備えることを特徴とする玉型形状決定方法。
【請求項４】
眼鏡レンズ加工装置による眼鏡レンズの周縁加工に使用される玉型形状を決定する玉型形状決定装置において実行される玉型形状決定プログラムであって、
玉型形状決定装置のプロセッサによって実行されることで、
眼鏡装用状態を基準にした眼鏡フレームの左リム及び右リムの少なくとも一方の三次元形状データを取得するリム形状取得ステップと、
眼鏡装用状態を基準にした前記三次元形状データに対して、加工用の玉型形状を得るために設定された玉型基準軸に垂直な平面に前記三次元形状データと眼鏡装用状態の水平軸とを投影し、前記平面に投影された水平軸をレンズの乱視軸の基準方向として決定し、前記三次元形状データが前記平面に投影されることによって得られた二次元形状を加工用の玉型形状として決定する玉型形状決定ステップと、
を玉型形状決定装置に実行させることを特徴とする玉型形状決定プログラム。
【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
始動条件が成立した場合、遊技者にとって有利な特別遊技を実行するか否かを判定する特別遊技判定手段と、
前記特別遊技判定手段による判定結果に基づいて、遊技演出を実行制御する演出制御手段と、を備え、
前記演出制御手段は、
前記遊技演出の実行期間が所定期間の場合は、段階的に演出が進展可能である疑似連続予告、又は、当該疑似連続予告と異なる演出である特定予告を実行可能であり、
前記判定結果が前記特別遊技を実行しない場合と、前記特別遊技を実行する場合とでは、前記疑似連続予告と前記特定予告との実行割合が異なる、ことを特徴とする遊技機。
【手続補正２】
【補正対象書類名】明細書
【補正対象項目名】０００２
【補正方法】変更
【補正の内容】
【０００２】
従来、遊技球が入賞口に入球することにより、特定の演出を行う遊技機が知られている（例えば、特許文献１参照）。
【手続補正３】
【補正対象書類名】明細書
【補正対象項目名】０００４
【補正方法】変更
【補正の内容】
【０００４】
しかしながら、遊技の興趣をさらに向上させることが求められている。
【手続補正４】
【補正対象書類名】明細書
【補正対象項目名】０００６
【補正方法】変更
【補正の内容】
【０００６】
第１の発明にかかる遊技機は、始動条件が成立した場合、遊技者にとって有利な特別遊技（大当たり）を実行するか否かを判定する特別遊技判定手段（メインＣＰＵ１０１ａ）と、前記特別遊技判定手段による判定結果に基づいて、遊技演出を実行制御する演出制御手段（サブＣＰＵ１０２ａ）と、を備え、前記演出制御手段は、前記遊技演出の実行期間が所定期間の場合は、段階的に演出が進展可能である疑似連続予告（ストーリー演出）、又は、当該疑似連続予告と異なる演出である特定予告（疑似連演出＋ストーリー演出）を実行可能であり、前記判定結果が前記特別遊技を実行しない場合と、前記特別遊技を実行する場合とでは、前記疑似連続予告と前記特定予告との実行割合が異なる、ことを特徴とする。
【手続補正５】
【補正対象書類名】明細書
【補正対象項目名】０００７
【補正方法】削除
【補正の内容】
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
玩具本体と、
前記玩具本体の底面よりも下方に突出して走行面に接し、車軸を中心に回転する少なくとも一つの車輪と、
前記玩具本体の走行方向の後端側位置に支持される揺動縦軸を中心として、前記揺動縦軸に揺動可能に固定された揺動部と、
前記少なくとも一つの車輪の回転運動を前記揺動部の揺動運動に変換する回転−揺動変換機構と、
を有し、
前記車輪の縦中心線の走行方向での位置は、手動走行玩具の総重量の重心位置又はそれに近い前後位置に設定されていることを特徴とする手動走行玩具。
【請求項２】
請求項１に記載の手動走行玩具において、
前記車輪は前記揺動部よりも重く、
平面視において、前記揺動部が少なくとも一方に最大に揺動した位置にある時の前記揺動部の重心の位置は、前記少なくとも一つの車輪の接地面のうち前記走行方向と直交する方向での両端に位置する外縁間の幅の範囲外となることを特徴とする手動走行玩具。
【請求項３】
請求項１または２のいずれか一項に記載の手動走行玩具において、
前記揺動部の重心から前記揺動縦軸までの距離は、前記揺動部の全長を二等分する位置から前記揺動縦軸までの距離よりも短いことを特徴とする手動走行玩具。
【請求項４】
請求項１乃至３のいずれか一項に記載の手動走行玩具において、
平面視において、前記走行方向と直交する方向にて、前記少なくとも一つの車輪と、前記回転−揺動変換機構の一部が並んで配置されることを特徴とする手動走行玩具。
【請求項５】
請求項１乃至３のいずれか一項に記載の手動走行玩具において、
前記少なくとも一つの車輪は、前記車軸と同一軸上に離間して支持される２つの車輪を含み、
前記２つの車輪の間に、前記回転−揺動変換機構の一部が配置されることを特徴とする手動走行玩具。
【請求項６】
請求項１乃至５のいずれか一項に記載の手動走行玩具において、
前記少なくとも一つの車輪の接地面は、前記走行方向と直交する方向での幅の中心部分が両端よりも突出していることを特徴とする手動走行玩具。
【請求項７】
請求項１乃至６のいずれか一項に記載の手動走行玩具において、
前記少なくとも一つの車輪は、基材と、前記基材を覆って接地面を形成する被覆材とを含み、前記被覆材は同一走行面との間で発生する摩擦力が前記基材よりも大きいことを特徴とする手動走行玩具。
【手続補正２】
【補正対象書類名】明細書
【補正対象項目名】０００６
【補正方法】変更
【補正の内容】
【０００６】
本発明の一態様は、玩具本体と、前記玩具本体の底面よりも下方に突出して走行面に接し、車軸を中心に回転する少なくとも一つの車輪と、前記玩具本体の走行方向の後端側位置に支持される揺動縦軸を中心として揺動されて、前記揺動縦軸に揺動可能に固定される揺動部と、前記少なくとも一つの車輪の回転運動を前記揺動部の揺動運動に変換する回転−揺動変換機構と、を有する手動走行玩具である。また、本発明の一態様は、玩具本体と、前記玩具本体の底面よりも下方に突出して走行面に接し、車軸を中心に回転する少なくとも一つの車輪と、前記玩具本体の走行方向の後端側位置に支持される揺動縦軸を中心として揺動されて、前記揺動縦軸に揺動可能に固定される揺動部と、前記少なくとも一つの車輪の回転運動を前記揺動部の揺動運動に変換する回転−揺動変換機構と、を有し、前記車輪の縦中心線の走行方向での位置は、手動走行玩具の総重量の重心位置又はそれに近い前後位置に設定されている手動走行玩具である。
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
１次コイルを有する電力送信回路と，２次コイルを有する電力受信回路と，を備え、前記１次コイルと前記２次コイルとのコイルリンクを用いて交流電力を前記電力送信回路から前記電力受信回路へ伝送する通信回路であって、
前記電力受信回路は、前記コイルリンクにより受信する交流電力を、直流電力である整流出力に変換する整流回路と、
第１電流経路と、前記第１電流経路とは別に設けられた第２電流経路とを有し、第１電流経路から出力される第１電圧と，前記第２電流経路から出力される第２電圧であって前記第１電圧とは異なる電圧値を持つ第２電圧と，の電圧比を一定に維持するチャージポンプ回路と、
前記電力受信回路から前記電力送信回路へ伝送すべき情報を示す信号に応じて、前記第１電流経路へ前記整流出力を入力させる第１入力状態と、前記第２電流経路へ前記整流出力を入力させる第２入力状態と、に切換えるスイッチング回路と、を備え、
更に、前記第１入力状態と前記第２入力状態との切換に伴う前記電力送信回路での負荷抵抗の変化に基づいて、前記信号に関する情報を得る情報取得回路と、を備えることを特徴とする通信回路。
【請求項２】
前記スイッチング回路は、データ信号に含まれる一定量の情報単位で、前記第１入力状態と前記第２入力状態との切換を行う請求項１記載の通信回路。
【請求項３】
バッテリーを有し、体外に設置される体外装置と、
前記体内に設置される体内装置と、を備え、
前記体外装置から前記体内装置へと電力を伝送し、前記体内装置から前記体外装置へと信号を送信するために請求項１又は２記載の通信回路を備えることを特徴とする体内埋植装置。
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
眼科装置であって、
対象者の眼における前眼部の画像を撮影する撮影部と、
前記眼科装置の動作を制御する制御部と、
を備え、
前記制御部は、
前記撮影部によって撮影された前記画像を処理することで、前記撮影部の撮影光軸に交差するＸＹ方向における前記眼の中心位置を検出する中心検出処理を実行すると共に、
前記中心検出処理を実行する際の検出条件に応じて、前記中心位置を検出する方法を切り換えることを特徴とする眼科装置。
【請求項２】
請求項１に記載の眼科装置であって、
前記対象者の前記眼の角膜にアライメント視標を投影するアライメント視標投影部をさらに備え、
前記撮影部は、
少なくとも前記眼の前記前眼部の正面画像を撮影し、
前記制御部は、前記中心位置を検出する方法として少なくとも、
前記正面画像を処理することで、前記角膜によって反射された１または複数の前記アライメント視標の輝点を検出し、検出した前記１または複数の輝点の重心を前記中心位置として検出する輝点重心検出方法と、
前記正面画像を処理することで前記１または複数の輝点を検出し、検出した前記１または複数の輝点を通過する環状図形の中心を前記中心位置として検出する輝点フィッティング検出方法と、
を実行可能であることを特徴とする眼科装置。
【請求項３】
請求項２に記載の眼科装置であって、
前記制御部は、
検出された前記１または複数の輝点を通過する前記環状図形を特定できる前記検出条件であれば、前記輝点フィッティング検出方法によって前記中心位置を検出し、
検出された前記１または複数の輝点を通過する前記環状図形を特定できない前記検出条件であれば、前記輝点重心検出方法によって前記中心位置を検出することを特徴とする眼科装置。
【請求項４】
請求項２または３に記載の眼科装置であって、
前記制御部は、
前記撮影部の撮影光軸に沿うＺ方向の、装置本体と前記眼の間の距離を前記検出条件として取得し、
取得した前記距離に応じて、前記中心位置を検出する方法を切り換えることを特徴とする眼科装置。
【請求項５】
眼科装置を制御するための眼科装置制御プログラムであって、
前記眼科装置は、
対象者の眼における前眼部の画像を撮影する撮影部を備え、
前記眼科装置制御プログラムが前記眼科装置のプロセッサによって実行されることで、
前記撮影部によって撮影された前記画像から、前記撮影部の撮影光軸に交差するＸＹ方向における前記眼の中心位置を検出する方法を、前記眼の中心位置を検出する際の検出条件に応じて切り換える切換ステップ、
を前記眼科装置に実行させることを特徴とする眼科装置制御プログラム。